(57)【要約】      （修正有）【課題】巻回された被切断材料の先端部が強くカールしていても容易に平坦な切断が可能な切断機を提供する。【解決手段】ボルト貫通孔を穿設した支持台に、中央に軸挿入孔を設けるとともに一側に切り離し部を形成した軸回動調整部材を載置し、前記支持台の貫通孔と連通する貫通孔を設けるとともに、前記軸回動調整部材の切り離し部を押圧する部材を備えた固定台を常時上昇せしめる附勢手段を設けて前記支持台上に載せ、前記軸回動調整部材の軸挿入孔に挿入される軸を突出せしめた底部に被切断材料押圧用弾性シートを固設した弾性シート取付部材を備え、前記ボルト貫通孔に挿嵌したボルトの上端ねじ部を固定台より突出せしめ、該突出部に締め付け具を螺合し、この締付け具の締付け、あるいは弛めることにより、弾性シート取付部材の回動を可能とし、被切断材料押圧用シートの角度を変更せしめて被切断材料に対する押圧力を変えるようにした。【選択図】  図２
2007083342.tif 000002
【特許請求の範囲】
【請求項１】
ボルト貫通孔を穿設した支持台に、中央に軸挿入孔を貫通させ一側にスリットによる切り離し部を形成した軸回動調整部材を載置し、前記支持台の貫通孔と連通する貫通孔を設けるとともに、前記軸回動調整部材の切り離し部を押圧する部材を備えた固定台を常時上昇方向に附勢せしめる手段を設けて前記支持台上に載せ、前記軸回動調整部材の軸挿入孔に挿入される軸を突出させ底部に被切断材料押圧用弾性シートを固設した弾性シート取付部材を備え、前記支持台のボルト貫通孔に挿嵌したボルトの上部のねじ部を固定台より突出せしめ、該突出されたねじ部に締め付け具を螺合せしめて構成したことを特徴とする切断機における被切断材料に対する押圧力調整装置。
【請求項２】
一端部に切欠凹所を設け、該切欠凹所近傍にボルト挿通用の貫通孔を穿設するとともに前記貫通孔の上端にばね装着用の環状凹部を設けた支持台と、前記支持台の切欠凹所上に載置した中央部に軸挿入孔を貫通させるとともに一側にスリット状の切り離し部が設けられた軸回動調整部材と、前記支持台上に設置され前記軸回動調整部材のスリット状の切り離し部の上部を押さえるように形成した庇状突出部を備えるとともに、前記支持台の貫通孔に連通する貫通孔を穿設した固定台と、先端に前記した軸回動調整部材の軸挿入孔に遊嵌される軸を突出させ底部に被切断材料押圧用弾性シートの基端部を固定した弾性シート取付部材と、上記支持台及び固定台の貫通孔に挿通され前記支持台の下部に固定されたボルトと、前記のばね装着用環状凹部に前記ボルトに巻回され常時固定台を上昇せしめるように附勢されたばねと、上記ボルトの先端に螺着された締付け具とを備え、被切断材料の切断位置を前記弾性シート取付部材の底面に基端部が固定された被切断材料押圧用弾性シートにて押圧するように構成したことを特徴とする切断機における被切断材料に対する押圧力調整装置。
【発明の詳細な説明】
【技術分野】
【０００１】
本発明は、切断機における被切断材料に対する押圧力調整装置に関し、さらに詳細には巻回された被切断材料を巻き戻して切断する際、巻き戻され被切断材料のカールが強く先端部までカールされているような被切断材料であっても所定寸法に容易に切断可能とした切断機における被切断材料に対する押圧力調整装置に関する。
【背景技術】
【０００２】
従来、巻回されている被切断材料を切断機にて切断する場合、図７に示すように、巻回されているフィルム等の被切断材料Ａを巻き戻しながら送りローラ５０，５１により切断部に送り切断するが、被切断材料Ａは巻回されていたためその先端はカール状となっており必ずしも平坦でないため、図７に示すように先端部を平坦にする先端押さえ部材５２を備えた切断装置の切断刃５３により切断している。しかしながら、カールの強い被切断材料Ａにあっては、前記したように切断時には押さえ部材５２に押圧されて切断されるが、切断されたのちにおいて次の切断のために送られてくる被切断材料の先端のカール部が上部の送りローラ５１の回転につれて巻き上がり、図８のａで示すように先端部が上部ローラ５１に巻きつくような状態となり、次の切断作業が不能になることがあり、また、図８のｂで示すように、切断後に次の被切断材料の先端部のカール部が上昇した押さえ部材５２に突き当たる等し、そのため、突き当たったカールされた先端部は折り曲げられた状態で切断時に押さえ部材５２によって押さえられそのまま切断されるという恐れがある。また、図８のｃにみられるように先端部のカールの状態がさほど強くないものにおいては正常な状態で切断されても次の送りで送られてくる被切断材料の先端が切断された材料の上に乗り重なってしまい、切断の連続性に問題が生じる。
【０００３】
また、ロール状に巻回された被切断物である長尺フィルムの切断にあたり、切断部において被切断物を押さえるようにしたものとして、送り出された被切断物の先端をロールの下面から引き出し、案内ローラと駆動ローラ間を搬送し、切断機構の押えブロックで被切断物を押さえ、切断刃の刃先を上向きにして溝方向へ移動自在に設けた可動刃を、前記した押えブロックに凹設した溝部に沿って左右方向に移動させることによって被切断物を切断するものが開示されている（特許文献１参照）。
【特許文献１】特開２００３−１０３４９３号公報
【０００４】
上記した特許文献１に示されるものにおいては、押えブロックの被切断物に対する押圧力を変えることはできず、切断機の適用範囲に多少の問題があり、切断開始時に前記の押えブロックを反転せしめてその後端に軸支した案内ローラを駆動ローラ上方より離間させる等して被切断物を切断個所に移動するようにする等押えブロックを利用するための付随手段を含む構成が多少複雑になるという問題を残している。
【発明の開示】
【発明が解決しようとする課題】
【０００５】
そこで、本発明においては、押え部材によって被切断物を押さえるようにし、また、その押圧力を変えることができるようにし、さらに、巻回されている被切断材料の特にカールが強くその先端部までカールされている材料であっても、容易に平坦な切断が可能であり、しかも、切断後において切断された切断片が次の切断の作業の妨げとならないような切断機における被切断材料に対する押圧力調整装置の提供を目的とするものである。
【課題を解決するための手段】
【０００６】
本発明に係る切断機における被切断材料に対する押圧力調整装置は、前記の目的を達するために、請求項１の発明においては、ボルト貫通孔を穿設した支持台に、中央に軸挿入孔を貫通させ一側にスリットによる切り離し部を形成した軸回動調整部材を載置し、前記支持台の貫通孔と連通する貫通孔を設けるとともに、前記軸回動調整部材の切り離し部を押圧する部材を備えた固定台を常時上昇方向に附勢せしめる手段を設けて前記支持台上に載せ、前記軸回動調整部材の軸挿入孔に挿入される軸を突出させ底部に被切断材料押圧用弾性シートを固設した弾性シート取付部材を備え、前記支持台のボルト貫通孔に挿嵌したボルトの上部のねじ部を固定台より突出せしめ、該突出されたねじ部に締め付け具を螺合したことをその特徴とし、請求項２の発明においては、一端部に切欠凹所を設け、該切欠凹所近傍にボルト挿通用の貫通孔を穿設するとともに前記貫通孔の上端にばね装着用の環状凹部を設けた支持台と、前記支持台の切欠凹所上に載置した中央部に軸挿入孔を貫通させるとともに一側にスリット状の切り離し部が設けられた軸回動調整部材と、前記支持台上に設置され前記軸回動調整部材のスリット状の切り離し部の上部を押さえるように形成した庇状突出部を備えるとともに、前記支持台の貫通孔に連通する貫通孔を穿設した固定台と、先端に前記した軸回動調整部材の軸挿入孔に遊嵌される軸を突出させ底部に被切断材料押圧用弾性シートの基端部を固定した弾性シート取付部材と、上記支持台及び固定台の貫通孔に挿通され前記支持台の下部に固定されたボルトと、前記のばね装着用環状凹部に前記ボルトに巻回され常時固定台を上昇せしめるように附勢されたばねと、上記ボルトの先端に螺着された締付け具とを備え、被切断材料の切断位置を前記弾性シート取付部材の底面に基端部が固定された被切断材料押圧用弾性シートにて押圧するように構成したことをその特徴とするものである。
【発明の効果】
【０００７】
本発明に係る切断機における被切断材料に対する押圧力調整装置は、ボルト貫通孔を穿設した支持台に、中央に軸挿入孔を貫通するとともに一側にスリットによる切り離し部を形成した軸回動調整部材を載置し、前記支持台の貫通孔と連通する貫通孔を設けるとともに、前記軸回動調整部材の切り離し部を押圧する部材を備えた固定台を常時上昇せしめる附勢手段を設けて前記支持台上に載せ、前記軸回動調整部材の軸挿入孔に挿入される軸を突出せしめ底部に被切断材料押圧用弾性シートを固設した弾性シート取付部材を備え、前記ボルト貫通孔に挿嵌したボルトの上のねじ部を固定台より突出せしめ、該突出されたねじ部に締め付け具を螺合して構成したので、被切断材料押圧用弾性シートによって押圧される被切断材料に対する押圧力が低下したとき等においては、前記の締付け具を弛める方向に回動させ、この回動によって常時上昇方向に附勢されている固定台は上昇され、この固定台の上昇により、該固定台の押圧部材により押さえられていた軸回動調整部材の切り離し部は開き挿通孔に嵌合されていた弾性シート取付部材の軸部は遊嵌状態となり、回動可能となるので、該弾性シート取付部材を回動せしめて底部に固設の被切断材料押圧用弾性シートの被切断材料に対する角度を変えるようにして被切断材料に対する押圧力を変更することができる。
【０００８】
そして、前記した押圧力の変更に際しては、単に締め付け具を緩める方向に回動せしめるとする簡単な操作でよく、この操作により弾性シート取付部材を回動可能とし、この回動により被切断材料を押圧する被切断材料押圧用弾性シートの被切断材料に対する押圧力を変更することが可能となるものであり、必要とする押圧力が得られたときに締め付け具を締めて固定台を附勢力に抗して支持台上に押し付け、これによって固定台の押圧部材で軸回動調整部材の切り離し部を押さえ挿通孔を閉じる方向に力を加え、挿通孔に挿通の弾性シート取付部材に突設の軸を固定し、前記の被切断材料押圧用弾性シートの被切断材料に対する押圧力を定めるようにする。そして、前記した被切断材料押圧用弾性シートは、被切断材料を所要の押圧力で押圧し、被切断材料の切断部は被切断材料押圧用弾性シートによって押さえられるのでカールが強いものであっても、確実に切断ができ、しかも、切断した後の切断片を次の被切断材料の先端が押し出すようにするので、切断片の排出等にも有効である。
【発明を実施するための最良の形態】
【０００９】
本発明を実施するための最良の形態を説明すると、図１において１は、架台であり、該架台１には加工台２及びテーブル３が設けられ、巻回されていた薄板状の被切断材料４が巻き戻されて上部ローラ５及び下部ローラ６によって加工台２の切断部に送られてくるが、このとき被切断材料４の先端部は上下のローラ間に挟持されて搬送され、その先端部のカールは前記した上下のローラ間に挟持される間に多少矯正されているものの、必ずしもカール状態が完全に矯正されて正常な状態になっているとはいえず、その先端は相変わらずカール状態が続き、そのカール状態が強い場合は正常な切断作業が実施できない恐れがあるので、本実施の形態においては、先端部がカールした薄板状の被切断材料４を弾性材製のシート２０にて押さえるようにして切断部にて切断刃７により確実に切断できるようにしている。
【００１０】
前記した薄板状の被切断材料４の先端カール部を弾性材製のシート２０で押圧して前記のカール部を平担状とする手段について説明すると、図１、図２及び図３において、８は機台上に載置される支持台であり、該支持台８は、一端部に切欠凹所９が形成されるとともに、その近傍に上下方向に貫通孔１０が穿設され、支持台８の上面側に前記貫通孔１０の外周に所要の深さの環状凹部１４が形成されている。
【００１１】
１１は前記した支持台８の切欠凹所９に載置される軸回動調整部材であり、該軸回動調整部材１１は、中央部に円形状の軸挿通孔１２が穿設されるとともに、一側にスリットによる切り離し部１３が設けられている。
【００１２】
１５は、前記支持台８上に設置される固定台であり、該固定台１５は、前記した軸回動調整部材１１のスリット状の切り離し部１３が形成された一側上部を覆う庇状突出部１６が設けられている。また、固定台１５には前記支持台８に穿設された貫通孔１０と連通する貫通孔１７が穿設されており、固定台１５は、前記軸回動調整部材１１のスリット状の切り離し部１３側の上部を庇状突出部１６で覆い、該庇状突出部１６で軸回動調整部材１１の切り離し部１３を押圧可能な状態で支持台８に設置される。
【００１３】
１９は底面に被切断材料押圧用弾性シート２０の基端部が固定された長方形状の弾性シート取付部材であり、該弾性シート取付部材１９の一端部の中央に前記軸回動調整部材１１の中央部に貫通された円形状の挿通孔１２に遊嵌される所定長さの軸２１が突設されている。前記した支持台８に設けられた貫通孔１０の下部にはボルト２２が固設され、該ボルト２２は支持台８及び固定台１５のそれぞれの貫通孔１０及び１７に挿通され、その上部のねじ部２２’は固定台１５の上面より突出され、その突出されたねじ部２２‘に締付け具２３が螺合されている。そして、前記締付け具２３は、本実施の態様においては筒状体２４の下部に穿設した孔の内周に前記ボルト２２の先端と螺合するねじを刻設し、筒状体２４の上端には摘み２６を一体的に設けて筒状体２４を回動し易い構成としている。なお、締付け具２３はどのような構成のものでもよく、要は締付けし易いものであればどのような構成でも差し支えない。
【００１４】
上記した支持台８の端部に設けた切欠凹所９に軸回動調整部材１１を載置し、支持台８の下部に固設されたボルト２２を支持台８に穿設の貫通孔１０に挿通し、支持台８の上面部で前記貫通孔１０の周辺に設けた環状凹部１４にばね２７をボルト２２に巻回するように装着し、前記ボルト２２を固定台１５の貫通孔１７に挿通する。固定台１５の一方の端部に突出させた庇状突出部１６の下方に軸回動調整部材１１のスリット状の切り離し部１３が入りこむように固定台１５を支持台８上に設置する。このとき、前記したボルト２２に巻回されたばね２７は、常時固定台１５を上昇せしめるように附勢されている。
【００１５】
上記した状態において、底部に被切断材料押圧用弾性シート２０を取り付けた弾性シート取付部材１９の一方の端部に突設された軸２１を軸回動調整部材１１の円形状の挿通孔１２内に挿入し、前記の被切断材料押圧用弾性シート２０を加工台２上の被切断材料４に対する押圧状態を弾性シート取付部材１１を時計回り方向である押圧を強める方向に、あるいは反時計回りの方向である押圧を弱める方向に回動させることにより弾性シート２０の被切断材料に対する押圧力を調整し、良好な押圧状態が得られた時点で前記したボルト２２の固定台１５よりの突出部に螺合の締付け具２３の摘み２６を用いて締付け具２３を締め付け方向に回動して締めつける。この締付け具２３の締め付けにより固定台１５はばね２７に抗して押し下げられ、同時に固定台１５の庇上突出部１６によって覆われている軸回動調整部材１１のスリット状の切り離し部１３側も押し下げられ、該切り離し部が塞がる方向に作用し、円形状挿通孔１２を縮小する方向に働き、前記挿通孔１２に遊嵌されている弾性シート取付部材１９の一端に突設の軸２１が軸回動調整部材１１に嵌合され、その結果、被切断材料押圧用弾性シート２０は適宜な圧接力で被切断材料４を押圧することができる。
【００１６】
上記した被切断材料押圧用弾性シート２０により被切断材料４を押圧するときの状態を図５，６に模式的に示すが、図５は、前記の押圧状態の調整前を示し、図６は、弾性シート取付部材１９を時計回り方向に回動せしめて被切断材料を押圧した状態を示す。このようにして弾性シート取付部材１９の時計方向あるいは反時計方向に回動せしめることにより被切断材料押圧用弾性シート２０の先端側を被切断材料４側に押圧あるいは弛める方向で調整し良好な押圧状態が得るものである。
【００１７】
また、加工が進行し弾性シートの押圧力に変化を生じたとき、あるいは被切断材料そのものが変更されて、被切断材料の厚み等が変わったときには、正確な切断作業ができなくなるが、そのときには、前記した固定台１５の上面にその下部が接当している締付け具２３を弛める方向に回動させると、ばね２７は常時固定台１５を上昇せしめる方向に附勢されているので、上記の締付け具２３の回動により前記ばね２３の附勢力によって固定台１５は上昇され、該上昇によって固定台１５の庇状突出部１６によって押さえられていた軸回動調整部材１１のスリット状の切り離し部１３は開く方向に作用し、弾性シート取付部材１９に突設の軸２１は回動可能の状態となる。
【００１８】
上記の状態において、弾性シート取付部材１９を時計方向あるいは反時計方向に回動して被切断材料押圧用弾性シート２０の加工台３上の被切断材料４に対する押圧力を調整して、必要とする圧力が得られたとき締付け具２３を締める方向に回動させて固定台１５をばね２７の附勢力に抗して下降せしめて該固定台１５を支持台８に固定するとともに軸回動調整部材１１のスリット状切り離し部１３を縮小させ弾性シート取付部材１９に突設の軸２１を軸回動調整部材１１の挿通孔１２に嵌合固定するようにする。
【００１９】
本実施の形態においては、巻回されている被切断材料４を加工切断部に上部ローラ５及び下部ローラ６にて搬送し切断部にて切断刃７で切断するものであるが、前記したように、先端部がカールしている場合であっても、被切断材料押圧用弾性シート２０によって切断部が押圧されているので被切断材料４は平坦となっており容易に切断が可能であり、次の切断のために続いて送られてくる被切断材料４の先端部が切断された材料を押し出すように排出するので、切断後の材料の排出が容易である。また、被切断材料押圧用弾性シート２０の被切断材料４に対する圧力の変更に当たっても、弾性シ―ト取付部材１９を回動せしめることにより容易に実施でき、また、弾性シート取付部材１９を回動せしめるに当たっても、支持台８の上面より突出している締付け具２３を緩めることで簡単に実施できるものである。
【００２０】
また、本実施の形態においては、被切断材料４を搬送するために固定される下部ローラ６と上下動可能な上部ローラ５を備えており、下部ローラ６は駆動軸３０により駆動され、該躯動軸３０の駆動により上部ローラ５の軸である従動軸を回転せしめるものであり、前記の上部ローラ５は軸受３３を介して押さえ装置３２により常時下方に附勢されている。駆動軸３０及び従動軸３１には軸受３４，３５で支持されている。これらの軸駆動構成は従来よりよくしられた通常の構成である。
【図面の簡単な説明】
【００２１】
【図１】本発明の被切断材料押圧用調整装置を備えた切断機の説明図、（ａ）は図１の一部拡大図
【図２】被切断材料押圧用調整部の説明図
【図３】軸回動調整部材と弾性シート取付部材とを係合せしめた説明図
【図４】ローラ伝導部の説明図
【図５】被切断材料押圧用弾性シートを取り付けたときの説明用模式図
【図６】被切断材料押用弾性シートを押圧状態としたときの説明用模式図
【図７】従来のこの種切断機の説明図
【図８】先端部のカール状態が強い場合の切断片の状態説明図
【符号の説明】
【００２２】
５  上部ローラ
６  下部ローラ
８  支持台
１０，１７   貫通孔
１１   軸回動調整部材
１３   スリット
１４   環状凹部
１５   固定台
１６   庇状突出部
１９   弾性シート取付部材
２０   被切断材料押圧用弾性シート
２１   軸
２３   締付け具
【図１】
2007083342.tif 000003
【図２】
2007083342.tif 000004
【図３】
2007083342.tif 000005
【図４】
2007083342.tif 000006
【図５】
2007083342.tif 000007
【図６】
2007083342.tif 000008
【図７】
2007083342.tif 000009
【図８】
2007083342.tif 000010